(57)【特許請求の範囲】
【請求項１】
転写面との間に隙間を形成する隙間形成面と前記隙間形成面に対してオフセットされた摺接面を有するスキージと、前記スキージを転写面に対して傾斜させるスキージ傾斜手段、を備え、
前記スキージは幅方向に長い断面矩形の本体部を主体とし、前記本体部の下部は厚さ方向において前記隙間形成面と前記隙間形成面に所定の角度をなして連続する斜面とに区画され、前記本体部の幅方向の両端には前記隙間形成面と連続し厚さ方向に延出する前記摺接面が設けられ、
前記摺接面を転写面に接触させた状態で前記スキージを傾斜させることにより前記隙間の高さを変更するスキージ装置。
【請求項２】
前記摺接面が、前記スキージの傾斜方向において連続する曲面である請求項１に記載のスキージ装置。
【発明の詳細な説明】
【技術分野】
【０００１】
本発明は、転写面に液状材料を転写するスキージ装置に関するものである。
【背景技術】
【０００２】
ＰｏＰ（パーツ・オン・パーツ）実装等において、パーツの電極にフラックスやクリーム半田を付着させるため、転写面に延展したフラックス等に電極を浸して転写する方法が用いられている。フラックス等の付着量は実装品質に深く関係する重要な技術項目であるので、付着量を決定する転写厚はパーツの種類等に応じて厳密に管理する必要がある。従来、転写面にフラックス等を一定の厚さで延展する装置として、転写面に当接する摺接面と転写面との間に隙間を形成する隙間形成面を段違いに設けたスキージを用いて隙間の高さに対応した転写厚でフラックス等を延展する装置が知られている（特許文献１参照）。
【特許文献１】特許第３２８９６０４号公報
【発明の開示】
【発明が解決しようとする課題】
【０００３】
このようなスキージ装置を用いれば、摺接面と隙間形成面との段差によって転写面との間の隙間の高さが決定し、摺接面を転写面に摺動させることで転写面の高低に関係なく一定の転写厚でフラックス等を延展することができるという利点がある。しかしながら、転写厚は予め設定された段差によって一義的に設定されるため、パーツの種類が変更になる等の転写厚の変更が要求される場合には、スキージ自体を対応する段差が設けられたものに交換しなければならない。そのため様々な段差を設けた複数のスキージを製造するための費用や、これを保管しておくための場所、スキージを交換するための時間等が必要となっていた。
【０００４】
そこで本発明は、交換用のスキージを要することなく転写厚を変更することができるスキージ装置を提供することを目的とする。
【課題を解決するための手段】
【０００５】
請求項１に記載のスキージ装置は、転写面との間に隙間を形成する隙間形成面と前記隙間形成面に対してオフセットされた摺接面を有するスキージと、前記スキージを転写面に対して傾斜させるスキージ傾斜手段、を備え、前記スキージは幅方向に長い断面矩形の本体部を主体とし、前記本体部の下部は厚さ方向において前記隙間形成面と前記隙間形成面に所定の角度をなして連続する斜面とに区画され、前記本体部の幅方向の両端には前記隙間形成面と連続し厚さ方向に延出する前記摺接面が設けられ、前記摺接面を転写面に接触させた状態で前記スキージを傾斜させることにより前記隙間の高さを変更する。
【０００６】
請求項２に記載のスキージ装置は、請求項１に記載のスキージ装置であって、前記摺接面が、前記スキージの傾斜方向において連続する曲面である。
【発明の効果】
【０００７】
本発明によれば、摺接面を転写面に接触させた状態でスキージを傾斜させることにより隙間形成面と転写面との間の隙間の高さを変更することができるので、スキージを交換することなく転写厚を変更することができる。
【発明を実施するための最良の形態】
【０００８】
本発明の実施の形態について図面を参照して説明する。図１に本発明の実施の形態のスキージ装置の（ａ）側面図と（ｂ）正面図を示す。スキージ装置１は、フラックスやクリーム半田等の液状材料を水平な転写面に一定の厚さ（転写厚）で延展する装置であり、スキージ２と、スキージ２を転写面４に対して傾斜させるスキージ傾斜装置と、スキージ２を転写面４に対して付勢するスキージ付勢装置５で構成される。
【０００９】
スキージ２は幅方向に長い断面矩形の本体部６を主体とし、本体部６の下部は厚さ方向（奥行き方向）において、隙間形成面６ａと、隙間形成面６ａに所定の角度をなして連続する斜面６ｂとに区画されている。本体部６の幅方向の両端には、隙間形成面６ａと連続し、厚さ方向（奥行き方向）に延出する摺接部７が設けられている。スキージ２は、本体部６の上部に設けられた支軸６ｃを軸支するスキージ付勢装置５によって、隙間形成面６ａがスキージ２の幅方向に水平になるように支持されており、支軸６ｃを支点として回動することで傾斜角θを変えることができる。
【００１０】
スキージ付勢装置５は、転写面４に対して高さ位置が固定された基部５ａに鉛直方向に摺動可能に装着された可動部５ｂをバネ５ｃ等の付勢手段によって下方に付勢し、可動部５ｂにスキージ２の支軸６ｃを回動可能に軸支する。ロックナット６ｄは、支軸６ｃを固定し、回動を規制する回動固定手段であり、緩めた状態では支軸６ｃが自由に回動してスキージ２に傾斜角θを付与することができ、締めることで任意の傾斜角θに維持することができる。スキージ２の摺接部７を転写面４に接触させた状態で、図示しない移動手段によってスキージ付勢装置５をスキージ２の厚さ方向（奥行き方向）に転写面４に対して相対的に水平移動させると、スキージ２は摺接部７を転写面４に摺接させながら転写面４上を水平移動し、斜面６ｂ側にあるフラックス等を隙間形成面６ａと転写面４との間に形成される隙間から排出し、転写面４に延展する。スキージ２は転写面４側に付勢されているので、多少の凹凸があっても摺接部７は転写面４に追随し、隙間形成面６ａと転写面４との間の隙間の高さｈは一定に保たれる。
【００１１】
摺接部７には、隙間形成面６ａに対しスキージ２の厚さ方向（奥行き方向）、すなわちスキージ２の移動方向にオフセットされた箇所に摺接面７ａが設けられている。摺接面７ａはスキージ２の傾斜時に転写面４と接触する箇所であり、スキージ２の傾斜時には摺接面７ａと転写面４との接触箇所を支点として隙間形成面６ａが上下に揺動し、転写面４に対する高さ、すなわち隙間形成面６ａと転写面４との間に形成される隙間の高さｈが変化する。この高さｈによってフラックス等の転写厚が設定されるので、スキージ２の傾斜角θを変更することで転写厚の設定を変更することができる。傾斜角θが０のとき、すなわちスキージ２が傾斜していない状態にあるときには隙間の高さｈは０となり、傾斜角θが増大するにしたがって隙間の高さｈが増大し、転写厚が厚くなる。摺接面７ａはスキージ２の傾斜方向において連続する曲面で形成されているので、スキージ２の傾斜角θを滑らかに変更することができる。
【００１２】
図２に本発明の他の実施の形態のスキージ装置の（ａ）側面図と（ｂ）正面図を示す。このスキージ装置１１はスキージ１２の摺接部１３が隙間形成面１４ｂと連続しておらず、より上方に設けられている点でスキージ装置１の構成と異なっている。従って、摺接部１３は転写面１５には摺接せず、摺接部１３に相対する位置で転写面１５と平行に設けられた摺動面１６に摺接する。摺動面１６の高さは、スキージ１２の傾斜角θが０のときに隙間形成面１４ｂと転写面１５との間に形成される隙間の高さｈが０となり、傾斜角θが増大するにしたがって隙間の高さｈが増大し、転写厚が厚くなるように設定されている。図示しない移動手段によってスキージ付勢装置１７をスキージ１２の厚さ方向（奥行き方向）にに転写面１５に対して相対的に水平移動させると、スキージ１２は摺接面１３ａを摺動面１６に摺接させながら転写面１５上を水平移動し、斜面１４ａ側にあるフラックス等を隙間形成面１４ｂと転写面１５との間に形成される隙間から排出し、転写面１５に延展する。
【００１３】
図３に本発明の実施の形態のスキージ傾斜装置の側面図を示す。スキージ傾斜装置は前述したスキージ装置１、１１の一部を構成し、スキージ２、１２を転写面４、１５に対して傾斜させ、任意の傾斜角θを付与するスキージ傾斜手段としての機能を有する。図３（
ａ）、（ｂ）は偏心カム２０をスキージを傾斜させる駆動手段として使用する形態のものであり、スキージ２、１２に固定された作用部２１の一端に偏心カム２０を接触させ、偏心軸２２周りに回転させることでスキージ２、１２を傾斜させる。図３（ｃ）、（ｄ）はアクチュエータ２３をスキージを傾斜させる駆動手段として使用する形態のものであり、スキージ２、１２に固定された作用部２１の一端に連結させた可動子２３ａを往復移動させることでスキージ２、１２を傾斜させる。
【００１４】
ロックナット６ｄによって支軸６ｃを固定することで、スキージ２、１２を所望の傾斜角θに維持することができるが、ロックナット６ｄを用いない場合であっても、偏心カム２０を固定したり、アクチュエータ２３の駆動を停止することでも所望の傾斜角θに維持することが可能である。
【産業上の利用可能性】
【００１５】
本発明は、摺接面を転写面に接触させた状態でスキージを傾斜させることにより隙間形成面と転写面との間の隙間の高さを変更することができるので、スキージを交換することなく転写厚を変更することができるという効果を奏し、要求される転写厚の異なる様々な部品を扱う実装分野において有用である。
【図面の簡単な説明】
【００１６】
【図１】本発明の実施の形態のスキージ装置を示す（ａ）側面図（ｂ）正面図
【図２】本発明の他の実施の形態のスキージ装置を示す（ａ）側面図（ｂ）正面図
【図３】本発明の実施の形態のスキージ傾斜装置を示す側面図
【符号の説明】
【００１７】
１、１１  スキージ装置
２、１２  スキージ
４、１５  転写面
６ａ、１４ｂ  隙間形成面
７ａ、１３ａ  摺接面
２０  偏心カム
２３  アクチュエータ
ｈ  隙間の高さ
【図１】
0005061841.tif 000002
【図２】
0005061841.tif 000003
【図３】
0005061841.tif 000004